【手続補正書】
【提出日】平成18年11月27日(2006.11.27)
【手続補正１】
【補正対象書類名】特許請求の範囲
【補正対象項目名】請求項１
【補正方法】変更
【補正の内容】
【請求項１】
受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能なリスト管理サーバであって、
前記リストを格納するリスト格納部と、
前記第三者端末から前記更新要求とともに前記第三者端末の使用者を識別するための識別情報を受け付けると、その受け付けられた識別情報を利用して、前記使用者が前記リストの更新権限を有しているか否かを判定し、前記使用者が前記更新権限を有していると判定された場合に、前記第三者端末による前記リストの更新を許可する制御部と、を含むリスト管理サーバ。
【手続補正２】
【補正対象書類名】特許請求の範囲
【補正対象項目名】請求項１３
【補正方法】変更
【補正の内容】
【請求項１３】
請求項１に記載のリスト管理サーバにおいて、
前記制御部は、
前記更新要求と前記識別情報を受け付けると、前記受信者端末または前記リストを管理する管理者が利用する管理者端末に、前記識別情報にて特定される使用者による前記リストの更新を許可するか否かを問い合わせ、その問合せに対する回答を受け付ける確認部と、
前記確認部が受け付けた回答に基づいて、前記使用者が前記リストの更新権限を有しているか否かを判定し、前記使用者が前記更新権限を有していると判定された場合に、前記第三者端末による前記リストの更新を許可する更新許可部と、を含むリスト管理サーバ。
【手続補正３】
【補正対象書類名】特許請求の範囲
【補正対象項目名】請求項１５
【補正方法】変更
【補正の内容】
【請求項１５】
受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能なリスト管理システムであって、
前記リストを格納するリスト格納部と、
前記第三者端末から前記更新要求とともに前記第三者端末の使用者を識別するための識別情報を受け付けると、その受け付けられた識別情報を利用して、前記使用者が前記リストの更新権限を有しているか否かを判定し、前記使用者が前記更新権限を有していると判定された場合に、前記第三者端末による前記リストの更新を許可する制御部と、を含むリスト管理システム。
【手続補正４】
【補正対象書類名】特許請求の範囲
【補正対象項目名】請求項１６
【補正方法】変更
【補正の内容】
【請求項１６】
受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能であり、前記リストを格納するリスト格納部を含むリスト管理サーバが行うリスト管理方法であって、
前記第三者端末から前記更新要求とともに前記第三者端末の使用者を識別するための識別情報を受け付けると、その受け付けられた識別情報を利用して、前記使用者が前記リストの更新権限を有しているか否かを判定する判定ステップと、
前記使用者が前記更新権限を有していると判定された場合に、前記第三者端末による前記リストの更新を許可する許可ステップと、を含むリスト管理方法。
【手続補正５】
【補正対象書類名】特許請求の範囲
【補正対象項目名】請求項３０
【補正方法】変更
【補正の内容】
【請求項３０】
受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能であり、前記リストを格納するリスト格納部を含むリスト管理システムが行うリスト管理方法であって、
前記第三者端末から前記更新要求とともに前記第三者端末の使用者を識別するための識別情報を受け付けると、その受け付けられた識別情報を利用して、前記使用者が前記リストの更新権限を有しているか否かを判定する判定ステップと、
前記使用者が前記更新権限を有していると判定された場合に、前記第三者端末による前記リストの更新を許可する許可ステップと、を含むリスト管理方法。
【手続補正６】
【補正対象書類名】特許請求の範囲
【補正対象項目名】請求項３１
【補正方法】変更
【補正の内容】
【請求項３１】
受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能であり、かつ、前記リストを格納するリスト格納部と接続されるコンピュータにリスト管理処理を実行させるプログラムであって、
前記第三者端末から前記更新要求とともに前記第三者端末の使用者を識別するための識別情報を受け付けると、その受け付けられた識別情報を利用して、前記第三者端末が前記リストの更新権限を有している第三者端末であるか否かを判定する判定処理と、
前記使用者が前記更新権限を有していると判定された場合に、前記第三者端末による前記リストの更新を許可する許可処理と、を含むリスト管理処理を、前記コンピュータに実行させるプログラム。
【手続補正７】
【補正対象書類名】明細書
【補正対象項目名】００１８
【補正方法】変更
【補正の内容】
【００１８】
上記の目的を達成するために、本発明のリスト管理サーバは、受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能なリスト管理サーバであって、前記リストを格納するリスト格納部と、前記第三者端末から前記更新要求とともに前記第三者端末の使用者を識別するための識別情報を受け付けると、その受け付けられた識別情報を利用して、前記使用者が前記リストの更新権限を有しているか否かを判定し、前記使用者が前記更新権限を有していると判定された場合に、前記第三者端末による前記リストの更新を許可する制御部とを含む。
【手続補正８】
【補正対象書類名】明細書
【補正対象項目名】００１９
【補正方法】変更
【補正の内容】
【００１９】
また、本発明のリスト管理システムは、受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能なリスト管理システムであって、前記リストを格納するリスト格納部と、前記第三者端末から前記更新要求とともに前記第三者端末の使用者を識別するための識別情報を受け付けると、その受け付けられた識別情報を利用して、前記使用者が前記リストの更新権限を有しているか否かを判定し、前記使用者が前記更新権限を有していると判定された場合に、前記第三者端末による前記リストの更新を許可する制御部とを含む。
【手続補正９】
【補正対象書類名】明細書
【補正対象項目名】００２０
【補正方法】変更
【補正の内容】
【００２０】
また、本発明のリスト管理方法は、受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能であり、前記リストを格納するリスト格納部を含むリスト管理サーバが行うリスト管理方法であって、前記第三者端末から前記更新要求とともに前記第三者端末の使用者を識別するための識別情報を受け付けると、その受け付けられた識別情報を利用して、前記使用者が前記リストの更新権限を有しているか否かを判定する判定ステップと、前記使用者が前記更新権限を有していると判定された場合に、前記第三者端末による前記リストの更新を許可する許可ステップとを含む。
【手続補正１０】
【補正対象書類名】明細書
【補正対象項目名】００２１
【補正方法】変更
【補正の内容】
【００２１】
また、本発明のリスト管理方法は、受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能であり、前記リストを格納するリスト格納部を含むリスト管理システムが行うリスト管理方法であって、前記第三者端末から前記更新要求とともに前記第三者端末の使用者を識別するための識別情報を受け付けると、その受け付けられた識別情報を利用して、前記使用者が前記リストの更新権限を有しているか否かを判定する判定ステップと、前記使用者が前記更新権限を有していると判定された場合に、前記第三者端末による前記リストの更新を許可する許可ステップとを含む。
【手続補正１１】
【補正対象書類名】明細書
【補正対象項目名】００２２
【補正方法】変更
【補正の内容】
【００２２】
また、本発明のプログラムは、受信者端末にて監視される情報提供者端末を介して情報提供者が提供した情報を前記受信者端末に配信するために使用される、前記情報提供者端末を示したリストを、前記受信者端末および前記リストの管理者の管理者端末と異なる第三者端末から通信回線を介して送信される更新要求に基づいて更新可能であり、かつ、前記リストを格納するリスト格納部と接続されるコンピュータにリスト管理処理を実行させるプログラムであって、前記第三者端末から前記更新要求とともに前記第三者端末の使用者を識別するための識別情報を受け付けると、その受け付けられた識別情報を利用して、前記第三者端末が前記リストの更新権限を有している第三者端末であるか否かを判定する判定処理と、前記使用者が前記更新権限を有していると判定された場合に、前記第三者端末による前記リストの更新を許可する許可処理と、を含むリスト管理処理を、前記コンピュータに実行させる。
【手続補正１２】
【補正対象書類名】図面
【補正対象項目名】図１
【補正方法】変更
【補正の内容】
【図１】
2006190076.tif 000001